(57)【要約】  洗浄組成物はＡ）キレート成分及びＢ）該キレート成分とは異なる酸性成分を含む。キレート成分は、メチルグリシン−Ｎ−Ｎ−二酢酸（ＭＧＤＡ）、Ｎ，Ｎ−ビス（カルボキシメチル）−Ｌ−グルタミン酸塩（ＧＬＤＡ）、ニトリロ三酢酸（ＮＴＡ）、ヒドロキシエチルエチレンジアミン三酢酸（ＨＥＤＴＡ）、エチレンジアミン四酢酸（ＥＤＴＡ）、ジエチレントリアミン五酢酸（ＤＴＰＡ）、及びそれらの混合物の群から選択される。キレート成分は一般にそれぞれの酸の塩又は部分塩、例えば、Ｎａ３−ＭＧＤＡである。Ｂ）酸性成分及びＡ）キレート成分は、約６：１〜約１：６のモル比（Ｂ：Ａ）で反応して反応生成物を形成する。洗浄組成物は、反応生成物の他に界面活性剤成分を更に含む。洗浄組成物は、皿洗い機において物品表面上のスポッティング及びフィルミングを除去及び／又は防止するのに、例えば、自動食器洗浄機（ＡＤＷ）において調理器具、耐熱皿、食卓用食器具、皿類、平食器、及び／又はガラス製品上のフィルミング及び／又はスポッティングを除去及び／又は防止するのに有用である。【特許請求の範囲】
【請求項１】
食器洗い用の洗浄組成物であって、前記洗浄組成物は、
（Ｉ）反応生成物であって、
Ａ）以下の群：
ａ１）メチルグリシン−Ｎ−Ｎ−二酢酸（ＭＧＤＡ）及び／又はその塩、
ａ２）Ｎ，Ｎ−ビス（カルボキシメチル）−Ｌ−グルタミン酸塩（ＧＬＤＡ）、及び／又はその塩、
ａ３）ニトリロ三酢酸（ＮＴＡ）及び／又はその塩、
ａ４）ヒドロキシエチルエチレンジアミン三酢酸（ＨＥＤＴＡ）、及び／又はその塩、
ａ５）エチレンジアミン四酢酸（ＥＤＴＡ）及び／又はその塩、
ａ６）ジエチレントリアミン五酢酸（ＤＴＰＡ）及び／又はその塩、及び
ａ７）それらの混合物
から選択されるキレート成分と、
Ｂ）前記Ａ）キレート成分とは異なる酸性成分と、
の前記反応生成物；及び
（ＩＩ）界面活性剤成分
を含み、
その際、前記Ｂ）酸性成分と前記Ａ）キレート成分は、約６：１〜約１：６のモル比（Ｂ：Ａ）で反応して反応生成物を形成する、前記洗浄組成物。
【請求項２】
前記Ｂ）酸性成分及び前記Ａ）キレート成分が約４：１〜約１：１のモル比（Ｂ：Ａ）で反応して反応生成物を形成する、請求項１に記載の洗浄組成物。
【請求項３】
前記キレート成分がＭＧＤＡの塩又はＭＧＤＡの部分塩を含む、請求項１又は２に記載の洗浄組成物。
【請求項４】
前記酸性成分がアルカンスルホン酸を含む、請求項１から３までのいずれか１項に記載の洗浄組成物。
【請求項５】
前記アルカンスルホン酸がメタンスルホン酸（ＭＳＡ）である、請求項４に記載の洗浄組成物。
【請求項６】
反応生成物が、１００質量部の前記洗浄組成物を基準として約０．１〜約１０質量％の量で存在する、請求項１から５までのいずれか１項に記載の洗浄組成物。
【請求項７】
前記界面活性剤が、
ｉ）非イオン性界面活性剤であり；
ｉｉ）１００質量部の前記洗浄組成物を基準として約１質量％〜約５０質量％の量で存在し；又は
ｉｉｉ）ｉ）とｉｉ）の両方である、請求項１から６までのいずれか１項に記載の洗浄組成物。
【請求項８】
前記非イオン性界面活性剤がｉ）アルコールアルコキシレート、ｉｉ）ブロックコポリマー、又はｉｉｉ）ｉ）とｉｉ）の組み合わせである、請求項７に記載の洗浄組成物。
【請求項９】
ヒドロトロープ成分を更に含む、請求項１から８までのいずれか１項に記載の洗浄組成物。
【請求項１０】
前記ヒドロトロープ成分が
ｉ）スルホネートを含み；
ｉｉ）１００質量部の前記洗浄組成物を基準として約０．１質量％〜約１０質量％の量で存在し；又は
ｉｉｉ）ｉ）とｉｉ）の両方である、請求項９に記載の洗浄組成物。
【請求項１１】
食器洗い用の洗浄組成物であって、前記洗浄組成物は、
（Ｉ）反応生成物であって、
Ａ）以下の群：
ｉ）メチルグリシン−Ｎ−Ｎ−二酢酸（ＭＧＤＡ）及び／又はその塩、
ｉｉ）Ｎ，Ｎ−ビス（カルボキシメチル）−Ｌ−グルタミン酸塩（ＧＬＤＡ）及び／又はその塩、及び
ｉｉｉ）それらの組み合わせ
から選択されるキレート成分と、
Ｂ）アルカンスルホン酸を含む酸性成分と、
の前記反応生成物；
（ＩＩ）界面活性剤成分；及び
（ＩＩＩ）ヒドロトロープ成分
を含み、
その際、前記Ｂ）酸性成分と前記Ａ）キレート成分は、約４：１〜約１：１のモル比（Ｂ：Ａ）で反応して反応生成物を形成する、前記洗浄組成物。
【請求項１２】
前記アルカンスルホン酸がメタンスルホン酸（ＭＳＡ）である、請求項１１に記載の洗浄組成物。
【請求項１３】
反応生成物が、１００質量部の前記洗浄組成物を基準として約０．１〜約１０質量％の量で存在する、請求項１１又は１２に記載の洗浄組成物。
【請求項１４】
前記界面活性剤成分がｉ）アルコールアルコキシレート、ｉｉ）ブロックポリマー、又はｉｉｉ）ｉ）とｉｉ）の組み合わせである、請求項１１から１３までのいずれか１項に記載の洗浄組成物。
【請求項１５】
前記界面活性剤成分が、１００質量部の前記洗浄組成物を基準として約１〜約５０質量％の量で存在する、請求項１１から１４までのいずれか１項に記載の洗浄組成物。
【請求項１６】
前記ヒドロトロープ成分が
ｉ）スルホネートであり；
ｉｉ）１００質量部の前記洗浄組成物を基準として約０．１〜約１０質量％の量で存在する；又は
ｉｉｉ）ｉ）とｉｉ）の両方である、請求項１１から１５までのいずれか１項に記載の洗浄組成物。
【請求項１７】
食器洗い用の洗浄組成物であって、前記洗浄組成物は、
（Ｉ）約０．１〜約１０質量％の反応生成物であって、
Ａ）メチルグリシン−Ｎ−Ｎ−二酢酸（ＭＧＤＡ）及び／又はその塩を含むキレート成分と、
Ｂ）メタンスルホン酸（ＭＳＡ）を含む酸性成分と、
の前記反応生成物；
（ＩＩ）非イオン性界面活性剤を含む約１〜約５０質量％の界面活性剤成分；及び
（ＩＩＩ）約０．１〜約１０質量％のヒドロトロープ成分；及び
（ＩＶ）任意に、水
を含み、
その際、前記Ｂ）酸性成分と前記Ａ）キレート成分は、約３：１〜約１：１のモル比（Ｂ：Ａ）で反応して反応生成物を形成する、前記洗浄組成物。
【請求項１８】
前記Ｂ）酸性成分及び前記Ａ）キレート成分が約２：１〜約１：１のモル比（Ｂ：Ａ）で反応して反応生成物を形成する、請求項１７に記載の洗浄組成物。
【請求項１９】
前記界面活性剤成分が、ｉ）アルコールアルコキシレート、ｉｉ）ブロックコポリマー、又はｉｉｉ）ｉ）とｉｉ）の組み合わせである、請求項１７又は１８に記載の洗浄組成物。
【請求項２０】
前記ヒドロトロープ成分がスルホネートである、請求項１７から１９までのいずれか１項に記載の洗浄組成物。
【発明の詳細な説明】
【技術分野】
【０００１】
関連出願の相互参照
本出願はその全体が参照により本願明細書に援用される、２０１２年４月１２日に出願された米国仮特許出願第６１／６２３，２０９号の利益を主張する。
【０００２】
発明の属する技術分野
本発明は、概して洗浄組成物に関し、更に詳細には、界面活性剤成分を含む洗浄組成物及びキレート成分と該キレート成分とは異なる酸性成分との反応生成物を用いる食器洗い用の洗浄組成物に関する。
【０００３】
関連技術の説明
油状の及び脂ぎったフィルムは、食器洗い機用途で除去するのが困難である。従来、洗浄組成物は、リン含有成分が含まれるこの種の固形物を除去するのに最も効果的であった。これらの洗浄組成物は、当該技術分野において「高性能」として分類され、通常、リン酸三ナトリウムとトリポリリン酸ナトリウム（ＳＴＰＰ）を含んでいた。２０１０年には、食器洗い機用洗剤の場合、リン酸が、リン酸塩含有成分の使用に関する環境問題のために禁止された。禁止のため、洗浄組成物の性能に差があった。具体的には、リン酸塩を含まない洗浄組成物は、一般に、それらのリン酸塩を含有する洗浄組成物の洗浄性能と釣り合わない。従って、リンス補助剤（又はリンス剤）は、食器洗いサイクル中の洗浄性能を向上させる目的で、洗剤組成物と一緒に使用されることが多い。
【０００４】
しかしながら、多くの場合、リンス補助剤は、前述の性能の差を完全に埋めることはできない。具体的には、硬度ミネラル及び硬度ミネラル／食品汚れの組み合わせは、なお皿類、ガラス製品や食卓用食器具に不溶性のスポット及び／又はフィルムを残しやすく、最大限の洗浄を行うことができない。スポッティングは、審美的に不快であり且つガラス製品の清浄度が疑われるため、特に飲用グラスなどのガラス製品を問題としている。フィルミング、又はガラス製品の「乳濁」は、同様の問題を引き起こす。上記に鑑み、食器洗いのために改良された洗浄組成物を提供する機会が残されている。
【０００５】
本発明の概要及び利点
本発明は、食器洗浄のために有用な洗浄組成物を提供する。洗浄用組成物（Ｉ）は、Ａ）キレート成分と、Ｂ）該Ａ）キレート成分とは異なる酸性成分との反応生成物を含む。Ａ）キレート成分は、ａ１）メチルグリシン−Ｎ−Ｎ−二酢酸（ＭＧＤＡ）及び／又はその塩、ａ２）Ｎ，Ｎ−ビス（カルボキシメチル）−Ｌ−グルタミン酸塩（ＧＬＤＡ）及び／又はその塩、ａ３）ニトリロ三酢酸（ＮＴＡ）及び／又はその塩、ａ４）ヒドロキシエチルエチレンジアミン三酢酸（ＨＥＤＴＡ）及び／又はその塩、ａ５）エチレンジアミン四酢酸（ＥＤＴＡ）及び／又はその塩、ａ６）ジエチレントリアミン五酢酸（ＤＴＰＡ）及び／又はその塩、及びａ７）それらの混合物の群から選択される。Ｂ）酸性成分及びＡ）キレート成分は、反応生成物を形成するために約６：１〜約１：６のモル比（Ｂ：Ａ）で反応する。洗浄組成物は、反応生成物（Ｉ）の他に（ＩＩ）界面活性剤成分を更に含む。
【０００６】
洗浄組成物は、物品表面、例えば、皿類、平食器、及びガラス製品上のフィルム及び／又はスポットの優れた防止及び／又は除去を提供する。洗浄組成物は、自動食器洗い（ＡＤＷ）用途などの食器洗い機用途に使用され得る。洗浄組成物は、食器洗浄リンス補助剤及び／又は洗剤中に及び／又はそれらとして使用され得る。洗浄組成物はまた、皿洗い機及び／又は皿洗い機の構成要素からのスケールを防止及び／又は除去するのに有用である。
【０００７】
発明の詳細な説明
本発明は洗浄組成物を提供する。洗浄組成物は様々な用途に使用できるが、洗浄組成物は、物品表面上のスポッティング及び／又はフィルミングを除去及び／又は予防するのに特に有用である。従って、洗浄組成物は、当該技術分野ではリンス補助剤と呼ばれ得る。洗浄組成物は、炭酸塩スケールの形成を阻害するためなどの、スケールの防止にも有用である。洗浄組成物は、種々の物品の様々な表面上で使用され得る。かかる物品表面の例としては、調理器具、耐熱皿、食卓用食器具、皿類、平食器、及びガラス製品で見られるものが挙げられる。洗浄組成物は、任意の特定の汚れ又は物品表面に限定されるものではない。
【０００８】
洗浄組成物は、液体、粉末、顆粒、ペースト等の様々な形態であってもよい。特定の実施態様では、洗浄組成物は液体の形態である。水及び／又は別の従来の溶媒又はキャリアは、洗浄組成物の形態を変更するために添加されるか又は除去され得る。例えば、洗浄組成物は、粉末又は顆粒を形成するために脱水され得る。洗浄組成物は、様々な形態で、例えば、パウチ、サシェによって、又は自由な形態で提供され得る。
【０００９】
洗浄組成物は、食器洗浄用途、特に自動食器洗浄機（ＡＤＷ）用途において有用であることが見出された。本発明の洗浄組成物は、単独で、又は１種以上の追加の組成物と組み合わせて、例えば、従来の洗浄組成物と組み合わせて使用され得る。リンス補助剤は一般に、洗浄サイクルの濯ぎ段階で、濯ぎを促進するか又は濯ぎ水をシート状にすることを促進する。ＡＤＷ用途が上記されているが、洗浄組成物は任意の特定の用途に限定されない。
【００１０】
洗浄組成物は、（Ｉ）キレート成分と該キレート成分とは異なる酸性成分との反応生成物を含む。反応生成物は、当該技術分野では複合体又は塩とも呼ばれる。反応生成物は予め形成されるか又はインサイチュで形成され、典型的には予め形成され得る。洗浄組成物は、更に（ＩＩ）界面活性剤成分を含み、更に以下に記載される通り、１種以上の追加の成分を含み得る。種々の実施態様では、洗浄組成物は、本質的に反応生成物及び界面活性剤成分からなり；更なる実施態様では、反応生成物及び界面活性剤成分からなる。
【００１１】
洗浄成分は１種以上のキレート剤、例えば、アミノカルボキシレートを含み得る。キレート剤は、当該技術分野では錯化剤とも呼ばれる。キレート成分は、硬い鉱物及び／又は金属イオン、例えば、Ｃａ２＋及びＭｇ２＋を不活性化するのに有用である。典型的には、キレート剤は硬い鉱物と結合し、硬い鉱物が再堆積しないように溶液中に保持する。キレート組成物は幾らか洗浄力も高める。
【００１２】
特定の実施態様では、キレート成分は、メチルグリシン−Ｎ−Ｎ−ジ酢酸（ＭＧＤＡ）及び／又はその塩を含む。様々な実施態様では、キレート成分は、ＭＧＤＡの塩又は部分塩、更に典型的にはそのアルカリ塩（又は部分塩）、例えば、メチルグリシンジアセテート、三ナトリウム塩（Ｎａ３ＭＧＤＡ）を含む。この形態では、ＭＧＤＡは当該技術分野では共役塩基と呼ばれ得る。ＭＧＤＡは一般に当該技術分野においてメチルグリシンジアセテートとも呼ばれる。本願明細書では、アルカリ塩は、任意のアルカリ又はアルカリ土類金属を含むが、特に限定されない。「部分塩」とは、一般に、キレート成分の１つ以上の酸性基が含まれないことを意味する。
【００１３】
別の実施態様では、キレート成分は、Ｎ，Ｎ−ビス（カルボキシメチル）−Ｌ−グルタミン酸塩（ＧＬＤＡ）、ニトリロ三酢酸（ＮＴＡ）、ヒドロキシエチルエチレンジアミン三酢酸（ＨＥＤＴＡ）、エチレンジアミン四酢酸（ＥＤＴＡ）、ジエチレントリアミン五酢酸（ＤＴＰＡ）、及び／又はその塩又は部分塩のうちの１つを含み、更に典型的には前述のキレート剤のうちいずれかの、アルカリ塩（又は部分塩）を含む。特定の実施態様では、キレート成分はＧＬＤＡを含み、これも本願明細書ではグルタミン酸二酢酸と呼ばれ得る。キレート成分は、２種以上のキレート剤、例えば、ＭＧＤＡ及びＧＬＤＡの組み合わせ又は混合物を含み得る。本願明細書で使用される略語、例えば、ＭＧＤＡは、それぞれのキレート剤の、酸／酸性、部分塩、又は（完全な）塩／塩形態、例えば、Ｎａ３ＭＧＤＡを意味し得る。
【００１４】
典型的には、キレート成分は水性であるため、キレート成分はキレート剤の他に水も含む。様々な実施態様では、キレート成分は水性であるため、キレート剤、例えば、ＭＧＤＡは、それぞれ１００質量部のキレート成分を基準として、約３５〜約９５質量部、約３５〜約８５質量部、又は約３５〜約４５質量部、又は約４０質量部の量でキレート成分中に存在するか、又はこれらの値の最低値と最高値の間の任意の範囲で存在する。キレート成分は粉末、顆粒、又はゲルの形態であってもよいため、キレート剤はキレート成分である。
【００１５】
好適なキレート成分の非限定的例は、商品名ＴＲＩＬＯＮ（登録商標）で、例えば、ＴＲＩＬＯＮ（登録商標）Ｍ、ＴＲＩＬＯＮ（登録商標）Ａ、ＴＲＩＬＯＮ（登録商標）Ｂ、ＴＲＩＬＯＮ（登録商標）Ｃ、及びＴＲＩＬＯＮ（登録商標）Ｄで、ニュージャージー州フローハムパークのＢＡＳＦ社から市販されている。好適なキレート成分の更なる非限定的例は、商品名ＤＩＳＳＯＬＶＩＮＥ（登録商標）ＧＬ、例えば、ＤＩＳＳＯＬＶＩＮＥ（登録商標）ＧＬ４７Ｓで、イリノイ州シカゴのアクゾノーベル（AkzoNobel）社から市販されている。
【００１６】
典型的には、酸性成分は、有機酸、無機酸、及びそれらの組み合わせの群から選択される。好適な有機酸の例としては、直鎖状又は分枝鎖状のカルボン酸、例えば、これらに限定されないが、乳酸、酢酸、ギ酸、アスコルビン酸、シュウ酸、ヒドロキシマレイン酸、メタンスルホン酸、マンデル酸、グリコール酸、サリチル酸、ピラノシジル酸、例えば、グルクロン酸又はガラクツロン酸、クエン酸、酒石酸、パモ酸、アルギン酸、ゲンチジン酸、ラクトビオン酸、コハク酸、マレイン酸とアクリル酸とのポリマー、及びそれらのコポリマーが挙げられる。好適な無機酸の例としては、塩酸、次亜塩素及び亜塩素酸、硫酸、亜硫酸、硝酸、リン酸、アミドスルホン／スルファミン酸、及び亜リン酸が挙げられる。
【００１７】
更に典型的には、酸性成分はアルカンスルホン酸などの有機スルホン酸を含む。アルカンスルホン酸は、短鎖アルカンスルホン酸、例えば、１〜４個の炭素原子を含有するもの（例えば、プロピル、エチル又はメチル部分を有するもの）であってよい。様々な実施態様では、アルカンスルホン酸は、メタンスルホン酸（ＭＳＡ）である。ＭＳＡは完全に非酸化の強有機酸であり、且つ熱的に安定であるため高い溶解性の塩を形成する。適切なグレードのＭＳＡは、商品名ＬＵＴＲＯＰＵＲ（登録商標）、例えば、ＬＵＴＲＯＰＵＲ（登録商標）ＭＳＡでＢＡＳＦ社から市販されている。
【００１８】
特定の実施態様では、ＭＳＡは、クロロ酸化プロセスからではなく、空気酸化プロセスにより形成されるものである。従って、ＭＳＡは、少ない金属含量、例えば、１ｍｇ／ｋｇ未満を有し、且つ一般的に腐食性のクロロ化合物を殆ど〜全く含有しない。他の非限定的例の好適な酸性成分は、Eiermannらによる米国特許第６，５３１，６２９号、及びRichardsによる米国特許出願公開第２００８／０１６１５９１号に記載されており、これらの開示は、本願明細書に記載された本発明の一般的な範囲と矛盾しない程度に、その全体が参照により本願明細書に援用されている。
【００１９】
反応生成物を形成するために、Ｂ）酸性成分及びＡ）キレート成分は、約６：１〜約１：６、約５：１〜約１：５、約４：１〜約１：４、約３：１〜約１：３、約２：１〜約１：２、約６：１〜約１：１、約５：１〜約１：１、約４：１〜約１：１、約３：１〜約１：１、約２：１〜約１：１、又は約１：１のモル比（Ｂ：Ａ）で反応するか、又はこれらの値の最低値と最高値との間の任意の範囲で反応する。
【００２０】
一般的に、モル比は、キレート成分上の反応性基の数によって変わる。例えば、ＭＧＤＡは、酸性成分と反応し得る３つのカルボキシル基を有する（その一方、ＧＬＤＡは４つを有する）。従って、１つ、２つ、又は全部で３つのこれらの基は、酸性成分、例えば、ＭＳＡと反応し得る。ＭＳＡは、ＭＧＤＡのアミン基をもプロトン化し、このアミン基がカルボキシル基よりも好ましいと考えられる、即ち、これは全てのカルボキシル基よりも前に優先的にプロトン化されている。過剰ないずれかの成分は、洗浄組成物中のその成分の未反応量を、例えば、遊離ＭＳＡを付与する。このような過剰さは、洗浄組成物のｐＨをシフトさせる及び／又は追加の特性を洗浄組成物に付与するために使用され得る。特定の実施態様では、モル過剰量の酸性成分の使用は、キレート成分の望ましくない沈殿を引き起こし得る（完全に中性の形態で、例えば、結晶が時間と共に形成されて沈降し得る）ことが考えられる。従って、これらの２成分のモル比は、それ自体、２つの間の反応の程度を考慮して調整され得る。
【００２１】
いかなる特定の理論に拘束又は限定されるものではないが、ＭＧＤＡ及びＭＳＡを使用する実施態様では、相乗作用がＭＧＤＡとＭＳＡとの間に存在すると考えられる。特に、ＭＧＤＡ（例えば、Ｎａ３ＭＧＤＡ）とＭＳＡとの組み合わせは、いずれかの成分単独よりもスポッティング及びフィルミングの防止を驚くほど改善することが発見された。この固有の性質は、金属イオンを放出する、不溶性の金属錯体を溶解するＭＳＡの能力の結果であると考えられ、その際、それらの金属イオンがＭＧＤＡを形成する可溶塩によって捕捉される。ＭＧＤＡは、ＭＳＡよりも可溶性の金属イオンに対してより高い親和性を有するためＭＳＡを遊離し、両方の分子が飽和するまで、追加の不溶性の金属錯体を溶解させる。
【００２２】
反応生成物は様々な量で使用され得る。典型的には、反応生成物は、それぞれ１００質量部の洗浄組成物を基準として、約０．１〜約１０質量％、約０．１〜約５質量％、又は約０．５〜約２．５質量％の量で洗浄組成物中に存在するか、又はこれらの値の最低値と最高値との間の任意の範囲である。
【００２３】
この界面活性剤成分は、ある種の汚れの溶解及び／又は乳化を助ける。界面活性剤成分は、表面湿潤にとっても有用であり、これが物品表面に洗浄組成物を送達するのに役立つ。使用される場合、界面活性剤成分は、典型的には非イオン性界面活性剤、アニオン性界面活性剤、両性界面活性剤、カチオン性界面活性剤、及びイオン性界面活性剤の群から選択される。他の種類の界面活性剤も使用され得ることが理解されるべきである。特定の実施態様では、界面活性剤成分は非イオン性界面活性剤を含む。
【００２４】
洗浄組成物と共に用いる使用に適した、非イオン性界面活性剤としては、ポリアルキレンオキシド界面活性剤などのブロックコポリマー（ポリオキシアルキレン界面活性剤又はポリアルキレングリコール界面活性剤としても知られる）が挙げられる。好適なポリアルキレンオキシド界面活性剤としては、ポリオキシプロピレン界面活性剤及びポリオキシエチレングリコール界面活性剤が挙げられる。この種の好適な界面活性剤は、合成有機ポリオキシプロピレン（ＰＯ）−ポリオキシエチレン（ＥＯ）ブロックコポリマーである。これらの界面活性剤は、一般に、ＥＯブロック及びＰＯブロック、ポリオキシプロピレン単位（ＰＯ）の中央ブロックを含み、且つポリオキシプロピレン単位上にグラフトしたポリオキシエチレンのブロック又はＰＯブロックが結合されたＥＯの中央ブロックを有するジブロックポリマーを含む。更に、この界面活性剤は、分子中にポリオキシエチレン又はポリオキシプロピレンのいずれかの更なるブロックを有し得る。界面活性剤は、ブチレンオキシド（ＢＯ）ブロックも含み、且つ２種又は３種のアルキレンオキシド、例えば、ＥＯ／ＰＯ／ＢＯ、ＥＯ／ＰＯ／ＰＯ、ＥＯ／ＥＯ／ＰＯ等のランダムな導入を含み得る。かかる界面活性剤は、当該技術分野では「ヘテリック」ブロック界面活性剤と呼ばれ得る。
【００２５】
特定の実施態様では、界面活性剤成分は、エチレンオキシドプロピレンオキシド（ＥＯ／ＰＯ）ブロックコポリマー及び／又はリバースＥＯ／ＰＯブロックコポリマー、即ち、ＰＯ／ＥＯブロックコポリマーを含む。好適なブロックコポリマーの特別な例としては、例えば、プロピレンオキシド（ＰＯ）とプロピレングリコールとの縮合生成物にエチレンオキシド（ＥＯ）を付加することによって得られる直鎖状ブロックポリマーグリコール；及び、例えば、指定された分子量の親水性を提供するためにエチレンオキシドをエチレングリコールに付加させ、且つ分子の外に疎水性ブロックを得るためにポリプロピレンオキシドを付加することによって得られるリバースブロックコポリマーが挙げられる。
【００２６】
コポリマーＰＯ／ＥＯ／ＰＯの疎水性及び親水性ブロックを逆転させることは、幾つかの顕著な違いを有する、通常のＥＯ／ＰＯ／ＥＯブロックコポリマーに類似した界面活性剤を作り出す。特定の理論に限定されるものではないが、ＥＯ／ＰＯ／ＥＯ直鎖状ブロックコポリマーは、より良い乳化剤及び分散剤になりやすく、より広い範囲の分子量をカバーするが、リバースブロックコポリマー（即ち、ＰＯ／ＥＯ／ＰＯブロックコポリマー）は、より少ない泡立ち、より大きな消泡、及び低下したゲル化傾向を有することが考えられる。更に、リバースブロックコポリマーは、典型的には、概してＥＯ／ＰＯ／ＥＯ直鎖状ブロックコポリマーを終端する第１級ヒドロキシル基よりも低い反応性と酸性度を有する、第２級ヒドロキシル基で終端されている。これらのブロックコポリマーは、当該技術分野ではポロキサマー又はトリブロックコポリマーとも呼ばれる。
【００２７】
本発明の目的に適した、更なる非イオン性界面活性剤としては、アルコールアルコキシレートが挙げられる。好適なアルコールアルコキシレートとしては直鎖状アルコールエトキシレートが挙げられる。更なるアルコールアルコキシレートとしては、アルキルフェノールエトキシレート、分枝鎖状アルコールエトキシレート、第２級アルコールエトキシレート、ヒマシ油エトキシレート、アルキルアミンエトキシレート（アルコキシル化アルキルアミンとも知られている）、牛脂アミンエトキシレート、脂肪酸エトキシレート、ソルビタール（sorbital）オレイン酸エトキシレート、末端封止されたエトキシレート、又はそれらの組み合わせが挙げられる。更なる非イオン性界面活性剤としては、アミド、例えば、脂肪アルカノールアミド、アルキルジエタノールアミド、ココナッツジエタノールアミド、ラウラミドジエタノールアミド、ココアミドジエタノールアミド、ポリエチレングリコールココアミド、オレイン酸ジエタノールアミド、又はそれらの組み合わせが挙げられる。更に他の非イオン性界面活性剤としては、ポリアルコキシル化脂肪族塩基、ポリアルコキシル化アミド、グリコールエステル、グリセロールエステル、アミンオキシド、リン酸エステル、リン酸アルコール、脂肪酸トリグリセリド、脂肪酸トリグリセリドエステル、アルキルエーテルリン酸エステル、アルキルエステル、アルキルフェノールエトキシレートリン酸エステル、アルキル多糖類、ブロックコポリマー、アルキルポリグルコシド、又はこれらの組み合わせが挙げられる。
【００２８】
好適な界面活性剤成分の非限定的な例は、商品名ＬＵＴＥＮＳＯＬ（登録商標）で、例えば、ＬＵＴＥＮＳＯＬ（登録商標）ＸＰ８０、ＬＵＴＥＮＳＯＬ（登録商標）ＴＯ８、及びＬＵＴＥＮＳＯＬ（登録商標）ＧＤ７０で；商品名ＴＥＴＲＯＮＩＣ（登録商標）で、例えば、ＴＥＴＲＯＮＩＣ（登録商標）３０４で；商品名ＰＬＵＲＯＮＩＣ（登録商標）で、例えば、ＰＬＵＲＯＮＩＣ（登録商標）２５Ｒ２、ＰＬＵＲＯＮＩＣ（登録商標）１７Ｒ２，及びＰＬＵＲＯＮＩＣ（登録商標）２５Ｒ４で；商品名ＤＥＨＹＰＯＮ（登録商標）で、例えば、ＤＥＨＹＰＯＮ（登録商標）ＬＳ−３６及びＤＥＨＹＰＯＮ（登録商標）ＬＳ−５４で；商品名ＰＬＵＲＡＦＡＣ（登録商標）で、例えば、ＰＬＵＲＡＦＡＣ（登録商標）ＬＦ９００、ＰＬＵＲＡＦＡＣ（登録商標）ＳＬＦ１８０、ＰＬＵＲＡＦＡＣ（登録商標）ＲＡ−４０、及びＰＬＵＲＡＦＡＣ（登録商標）ＬＦ７１１で；並びに商品名ＬＵＴＥＮＳＩＴ（登録商標）で、例えば、ＬＵＴＥＮＳＩＴ（登録商標）ＡＳ２２３０で、ＢＡＳＦ社から市販されている。更なる非限定的な例は、商品名ＥＭＰＩＬＡＮ（登録商標）で、例えば、ＥＭＰＩＬＡＮ（登録商標）ＫＢ及びＥＭＰＩＬＡＮ（登録商標）ＫＣで；ＳＵＲＦＯＮＩＣ（登録商標）Ｌ１２；ＴＥＲＩＣ（登録商標）１２Ａ；及びＥＣＯＴＥＲＩＣ（登録商標）、例えば、ＥＣＯＴＥＲＩＣ（登録商標）Ｂ３０及びＥＣＯＴＥＲＩＣ（登録商標）Ｂ３５でハンツマン（Huntsman）社より市販されている。更なる非限定的な例は、商品名ＮａｔＳｕｒｆ（商標）で、例えば、ＮａｔＳｕｒｆ（商標）２６５で、クローダ（Croda）社より市販されている。更なる非限定的な例は、商品名ＢＩＯ−ＳＯＦＴ（登録商標）で、例えば、ＢＩＯ−ＳＯＦＴ（登録商標）Ｎｌ、Ｎ２３、及びＮ９１シリーズで、ステパン（Stepan）社より市販されている。更に他の非限定的な例は、商品名ＮＯＮＩＤＥＴ（登録商標）及びＴＯＭＡＤＯＬ（登録商標）で、エアプロダクツ（Air Products）社より市販されている。２種以上の異なる界面活性剤の組み合わせが使用され得る。
【００２９】
界面活性剤成分は様々な量で使用され得る。特定の実施態様では、界面活性剤成分は、それぞれ１００質量部の洗浄組成物を基準として、約１〜約５０質量％、約１０〜約４０質量％、又は約２０〜約３０質量％の量で洗浄組成物中に存在するか、又はこれらの値の最低値と最高値との間の任意の範囲に存在する。典型的には、本願明細書に記載された量は、成分が１００％の活性物質を含む仮定に基づいている。そのため、成分が水性である場合、この量はそれに応じて活性物質の希釈度％を補うように調整され得る。
【００３０】
特定の実施態様では、洗浄組成物はヒドロトロープ成分を更に含む。様々な実施態様では、洗浄組成物は、本質的に反応生成物、界面活性剤成分、及びヒドロトロープ成分からなり、更なる実施態様では反応生成物、界面活性剤成分、及びヒドロトロープ成分からなる。ヒドロトロープ成分は、洗浄組成物の安定性の向上に有用であり、これは洗浄組成物の曇点（又は相溶性指数）にも関係する。使用する場合、様々な種類のヒドロトロープが洗浄組成物に含まれ得る。好適なヒドロトロープの例としては、スルホネート、例えば、キシレンスルホネート、クメンスルホネート、及びジヘキシルスルホン酸ナトリウム；アルキル硫酸塩、例えば、オクチル硫酸ナトリウム；ウレア；イソプロパノール及び他のアルコール；アルコールアルコキシレート；グリコール、例えば、ヘキシレングリコール及びプロピレングリコール；及び米国特許第３，５６３，９０１号及び米国特許第４，４４３，２７０号に記載されたものが挙げられ、これらは参照により本願明細書に援用されている。好適なヒドロトロープ成分の非限定的な例は、商品名ＴＥＸＡＰＯＮ（登録商標）で、例えば、ＴＥＸＡＰＯＮ（登録商標）８４２で、ＢＡＳＦ社より市販されている。
【００３１】
使用する場合、ヒドロトロープ成分は様々な量で使用され得る。特定の実施態様では、ヒドロトロープ成分は、それぞれ１００質量部の洗浄組成物を基準として、約０．１〜約２５質量部、約０．１〜約１５質量％、約０．１〜約１０質量％、又は約０．１〜約５質量％の量で洗浄組成物中に存在するか、又はこれらの値の最低値と最高値との間の任意の範囲で存在する。
【００３２】
特定の実施態様では、洗浄組成物はポリマー成分を更に含む。ポリマー成分は、当該技術分野では分散剤及び／又はスケール防止剤と呼ばれ得る。特定の実施態様では、ポリマー成分は、物品から除去された汚れの粒子を分散又は懸濁した状態で維持するのに有用であるため、粒子は洗浄水が送り出される時に皿洗い機から更に容易に除去される。ポリマー成分も洗浄力を高め得る。
【００３３】
様々な実施態様では、ポリマー成分は、カルボキシレート官能性ポリマー又は変性カルボキシレート官能性ポリマーを含む。特定の実施態様では、ポリマー成分は、ポリアクリル酸（ＰＡＡ）及び／又はアクリル酸／マレイン酸コポリマーを含む。一実施態様では、ポリマー成分はＰＡＡを含む。好適なポリマーの他の例は、約１，０００〜約４００，０００の分子量を有するポリアクリレート及び他の部分と組み合わされたアクリル酸をベースとするポリマーを含んでいた。これらは、マレイン酸と組み合わせたアクリル酸；メタクリル酸；ホスホネート；マレイン酸及び酢酸ビニル；アクリルアミド；スルホフェノール（ｓｕｌｆｏｐｈｅｎｏｌ）メタリルエーテル；２−アクリルアミド−２−メチルプロパンスルホン酸；２−アクリルアミド−２−メチルプロパンスルホン酸及びスチレンスルホン酸ナトリウム；メタクリル酸メチル、メタリルスルホン酸ナトリウム及びスルホフェノールメタリルエーテル；ポリマレエート；ポリメタクリレート；ポリアスパルテート；エチレンジアミンジスクシネート；有機ポリホスホン酸及びそれらの塩を含む。好適なポリマー成分の例は、商品名ＳＯＫＡＬＡＮ（登録商標）で、例えば、ＳＯＫＡＬＡＮ（登録商標）ＣＰ５、ＳＯＫＡＬＡＮ（登録商標）ＣＰ４２、ＳＯＫＡＬＡＮ（登録商標）ＣＰ５０、ＳＯＫＡＬＡＮ（登録商標）ＰＡ２５ＣＬ、及びＰＡ  ＳＯＫＡＬＡＮ（登録商標）ＰＡ３０ＣＬ、ＳＯＫＡＬＡＮ（登録商標）ＣＰ１０Ｓ、ＳＯＫＡＬＡＮ（登録商標）ＣＰ１２Ｓ、及びＳＯＫＡＬＡＮ（登録商標）１３ＳでＢＡＳＦ社より市販されている。「ＣＰ」は一般にコポリマーを意味するが、「ＰＡ」は一般にポリアクリレートを意味する。
【００３４】
使用する場合、スケール防止剤成分が様々な量で使用され得る。特定の実施態様では、スケール防止剤成分は、それぞれ１００質量部の洗浄組成物を基準として、約０．０５質量％〜約１０質量％、約０．１〜約５質量％、又は約０．２〜約２質量％の量で、洗浄組成物中に存在するか、又はこれらの値の最低値と最高値との間の任意の範囲で存在する。
【００３５】
場合により、洗浄組成物は１種以上の添加剤を含み得る。任意の種類の添加剤、特に、ＡＤＷ用途に慣例的に使用されている添加剤が使用され得る。好適な添加剤の例としては、水、補助的なビルダー成分、例えば、金属クエン酸塩、漂白剤、酵素、溶剤、塩、汚れ放出ポリマー、発泡防止剤、錯化剤、香料、充填剤、無機増量剤、製剤助剤、溶解性向上剤、染料、腐食防止剤、過酸化物安定剤、電解質、石鹸、洗剤、溶媒、例えば、エチレングリコール、２−ブトキシエタノール、ブチルジグリコール、アルキルグリコールエーテル、及びイソプロパノール、香料、油、酸化剤、例えば、過ホウ酸塩、ジクロロイソシアヌレート、界面活性エチレンオキシ付加物、及びそれらの組み合わせが挙げられる。
【００３６】
様々な実施態様では、洗浄組成物は更に水を含む。水は様々な種類であってよい。特定の実施態様では、水は脱塩化されている。水は、実施態様に応じて、様々な量で組成物中に存在する。水は別個の成分として組成物に添加され得る。しかしながら、水の一部も、上記で示唆したように水性の場合、他の成分のうちの１つによって、例えば、キレート成分及び／又は酸性成分によって付与され得る。
【００３７】
特定の実施態様では、水は、反応生成物、界面活性剤成分、及び任意に、ヒドロトロープ及び／又は他の添加剤成分（複数可）を含む、洗浄組成物の残量の質量部で存在する。洗浄組成物が液体である実施態様では、水は典型的には、それぞれ１００質量部の洗浄組成物を基準として、約３０〜約９９質量％、約３０〜約４０質量％、又は約８０〜約９０質量％の量で洗浄組成物中に存在するか、又はこれらの値の最低値と最高値との間の任意の範囲で存在する。水の量は組成物の所望の形態に基づいて調整され得る。従って、本発明は特定の量の水に限定されない。例えば、洗浄組成物は、水の量を減少させる「低い」、「中低度」、又は「高い」活性物質の組成物としてそれぞれ配合することができ、その際、活性物質は少なくとも洗浄組成物の反応生成物及び界面活性剤成分を含む。
【００３８】
特定の実施態様では、洗浄組成物は、実質的にリン含有化合物を含まず、洗浄組成物をより環境的に許容可能にする。リン不含とは、リン含有化合物が添加されていない組成物、混合物、又は成分を意味する。リン含有化合物が、リン不含組成物、混合物、又は成分の混入を通して存在する場合、得られた洗浄組成物中のリン含有化合物の濃度は、典型的には、それぞれ１００質量部の洗浄組成物を基準として、約０．５質量％未満、約０．１質量％未満、又は約０．０１質量％未満であるか、又はこれらの値の最低値と最高値との間の任意の範囲である。様々な実施態様では、洗浄組成物はリン含有化合物を含んでいない。
【００３９】
様々な実施態様では、洗浄組成物は塩素含有成分を含んでいない。塩素を含有する成分の例としては塩素系漂白剤が挙げられ、これは一般的に強酸化剤の群に属し、これらの全てがその分子内に１つ以上の塩素原子を有する。当該技術分野で使用される塩素系漂白剤の特別な例としては塩素化イソシアヌレート、塩素化リン酸三ナトリウム、次亜塩素酸、及び次亜塩素酸ナトリウムが挙げられる。塩素含有成分を含まないとは、一般的に、洗浄組成物が、塩素などの意図的に添加された成分を含まないこと、例えば、塩素系漂白剤、例えば、次亜塩素酸ナトリウムが添加されないことを意味する。幾つかの実施態様では、洗浄組成物は、幾らか少量の塩素、例えば、１つ以上の成分中に存在する微量の塩素を含む。
【００４０】
様々な実施態様では、洗浄組成物は、それぞれ１００質量部の洗浄組成物を基準として、約０．５０質量％〜およそゼロ（０）、約０．２５質量％〜およそ０、又は約０．１０質量％〜およそ０質量％の量で塩素を含むか、又はこれらの値の最低値と最高値との間の任意の範囲である。特定の実施態様では、洗浄組成物は完全に塩素を除外している。
【００４１】
様々な実施態様では、洗浄組成物は漂白剤成分を含まない。塩素系漂白剤は、通常使用される漂白剤成分である傾向があるが、他の漂白剤は、非塩素系漂白剤、例えば、活性酸素を洗浄水中に放出する過酸素化合物を含む。非塩素系漂白剤の更なる例としては、過ホウ酸塩／過ホウ酸ナトリウム、一過硫酸カリウム、過炭酸ナトリウム、過酸化水素、及び有機過酸が挙げられる。様々な実施態様では、洗浄組成物は、それぞれ１００質量部の洗浄組成物を基準として、約１５質量％〜およそゼロ（０）質量％、約１０質量％〜およそ０質量％、約５．０質量％〜およそ０質量％、又は約１．０質量％〜およそ０質量％の量で漂白剤成分を含むか、これらの値の最低値と最高値との間の任意の範囲を含む。特定の実施態様では、洗浄組成物は完全に漂白剤成分を除外している。
【００４２】
洗浄組成物は様々な方法によって形成され得る。典型的には、洗浄組成物は、単純に組み合わせること、例えば、全ての成分を一緒に混合することによって形成される。特定の実施態様では、反応生成物は、最初にキレート成分と酸性成分とを組み合わせることによって別個に形成される。界面活性剤成分と他の成分は、使用される場合、その後、反応生成物と組み合わされて洗浄組成物を形成する。あるいは、全ての成分を一緒に組み合わせて、反応生成物をインサイチュで形成させることができる。洗浄組成物は、任意の特定の製造方法に限定されない。
【００４３】
本発明の洗浄組成物を例示する、以下の実施例は、本発明を例示しており、限定することを意図するものではない。
【００４４】
実施例
洗浄組成物の様々な配合物が調製されている。洗浄組成物は、最初に酸性成分を撹拌しながらキレート成分に添加し（適用できる場合）、それぞれの反応生成物を形成させることによって調製する。次に、反応生成物を、他の成分と組み合わせて混合し、洗浄組成物を形成する。ｐＨ及び相容性指数、即ち、曇点をそれぞれの配合物について測定する。
【００４５】
以下の実施例１は比較例であり、実施例２〜４は本発明の例である。キレート組成物は、模擬試験法及び／又は自動食器洗い（ＡＤＷ）機を用いて皿類、平食器、及び／又はガラス製品を洗浄するために使用される。従来の皿洗い機の時間、温度、及び水の量が使用される。例えば、従来の皿洗い機は、一般に、約３０分〜約１５０分間持続する洗浄及び濯ぎのサイクルと約１００°Ｆ〜約１５０°Ｆの洗浄温度を有し、それぞれのサイクルは約１〜約５リットルの水を使用する。洗浄後、物品をスポッティング及びフィルミングに関して視覚的に評価し、それぞれの実施例を性能に関して格付けする。スポッティング及びフィルミングの評価は、光透過率と反射率を測定するデジタル画像解析ツール（ＤＩＡＴ）を用いて並行して又は別々に行うこともできる。
【００４６】
以下の表Ｉの全ての値は、１００質量部のそれぞれの洗浄組成物を基準として質量％である。それぞれの成分について示される量は「そのまま」である。例えば、２．５質量％のヒドロトロープ成分は、１質量％のヒドロトロープの活性物質をそれぞれの配合物に付与するが、３０質量％の界面活性剤成分は３０質量％の界面活性剤の活性物質をそれぞれの配合物に付与する。「ＲＴ」は室温（即ち、約２３℃）であり、「ｄＩ」は脱イオン化である。
【表１】
2015516486.tif 000002
【００４７】
界面活性剤は、非イオン性界面活性剤、特に、ＢＡＳＦ社から市販されている、８２０の平均分子量、５〜６．５のｐＨ（１％水溶液）、２５℃で８０ｃｐｓの粘度、７のＨＬＢ、及び２２〜２７℃の曇点（１％水溶液）を有する、単官能性の直鎖状アルコールアルコキシレートである。
【００４８】
ヒドロトロープはナトリウムキシレンスルホネート（ＳＸＳ）である。
【００４９】
酸性物質はクエン酸である。
【００５０】
ＲＸＮ  Ｐｒｏｄ．１はＭＧＤＡ：ＭＳＡが１：１の反応生成物である。
【００５１】
ＲＸＮ  Ｐｒｏｄ．２はＭＧＤＡ：ＭＳＡが１：２の反応生成物である。
【００５２】
ＲＸＮ  Ｐｒｏｄ．３はＭＧＤＡ：ＭＳＡが２：１の反応生成物である。
【００５３】
反応生成物を形成するために使用されるキレート成分（ＭＧＤＡ）は、ＢＡＳＦ社から市販されている、液体の４０％の活性物質である。
【００５４】
反応生成物を形成するために使用される酸性成分（ＭＳＡ）は、ＢＡＳＦ社から市販されている、液体の７０％の活性物質である。
【００５５】
実施例２〜４は、実施例１と同等以上の性能を提供する。実施例２は、洗浄後の物品の視覚的検査に基づいて、実施例１よりも優れた性能をもたらす、総合的に最高の性能を提供するものであると考えられる。本発明の組成物はまた、優れたコストパフォーマンス、例えば、より少ない必要量と従来の組成物よりも向上した安定性も提供する。本発明の組成物は、皿洗い機自体のスケールを除去及び／又は防止するのにも有用である。
【００５６】
添付の特許請求の範囲は、詳細な説明に記載された表現及び特定の化合物、組成物、又は方法に限定されず、これらは添付の特許請求の範囲内に入る特定の実施態様の間で変化し得ることが理解されるべきである。様々な実施態様の特定の特徴又は態様を記載するための本願明細書に依存するマーカッシュ群に関しては、様々な、特別な及び／又は予期しない結果が、全ての他のマーカッシュ要素とは無関係なそれぞれのマーカッシュ群の各要素から得られ得ることが理解されるべきである。マーカッシュ群の各要素は、個別に又は組み合わせて依存し且つ添付の特許請求の範囲内の特別な実施態様のための適切な根拠を提供する。
【００５７】
本発明の様々な実施態様を説明する際に依存する任意の範囲及び部分範囲は、添付の特許請求範囲内に独立して且つまとめて入ることも理解されるべきであり、かかる値がそこに明確に記載されていない場合でも、そこにある整数値及び／又は小数値を含む全ての範囲を記載し且つ考慮することが理解されている。当業者は、列挙された範囲及び部分範囲が本発明の様々な実施態様を十分に説明し且つ可能にし、かかる範囲及び部分範囲が関連する半分、３分の１、４分の１、５分の１等に更に線引きされ得ることを容易に認識している。ほんの一例として、「０．１から０．９までの」範囲は、下３分の１、即ち、０．１〜０．３、中３分の１、即ち、０．４〜０．６、及び上３分の１、即ち、０．７〜０．９に更に線引きされてよく、これらは個々に且つまとめて添付の特許請求の範囲内であり、添付の特許請求の範囲内の特定の実施態様のための適切な根拠に個々に及び／又はまとめて依存し且つこれを提供し得る。更に、「少なくとも」、「それより高い」、「未満」、「わずか」などの範囲を規定するか又は変更する用語に関しては、かかる用語が部分範囲及び／又は上限又は下限を含むことが理解されるべきである。別の例として、「少なくとも１０」の範囲は、固有に少なくとも１０〜３５の部分範囲、少なくとも１０〜２５の部分範囲、２５から３５までの部分範囲などの部分範囲を含み、それぞれの部分範囲は、添付の特許請求の範囲内の特別な実施態様に個別に及び／又はまとめて依存し且つこれに適切な根拠を提供し得る。最終的に、開示された範囲内の個別の数は、添付の特許請求の範囲内の特別な実施態様のための適切な根拠に依存し且つこれを提供し得る。例えば、「１から９までの」範囲は、様々な個々の整数、例えば、３、並びに小数点（又は小数部）を含む個々の数、例えば、４．１を含み、これは添付の特許請求の範囲内の特別な実施態様のための適切な根拠に依存し且つこれを提供し得る。
【００５８】
本発明は例示的に記載されており、使用された用語は限定ではなく説明の用語の範疇に入ることが意図されていることが理解されるべきである。本発明の多くの変更及び変形が上記の教示に照らして可能である。本発明は、添付の特許請求の範囲内に具体的に記載されたもの以外の方法で実施され得る。独立請求項並びに単一及び多数従属の両方の従属請求項の全ての組み合わせの主題は、本願明細書で明確に考慮されている。
【手続補正書】
【提出日】平成25年9月6日(2013.9.6)
【手続補正１】
【補正対象書類名】特許請求の範囲
【補正対象項目名】全文
【補正方法】変更
【補正の内容】
【特許請求の範囲】
【請求項１】
食器洗い用の洗浄組成物であって、前記洗浄組成物は、
（Ｉ）反応生成物であって、
Ａ）以下の群：
ａ１）メチルグリシン−Ｎ−Ｎ−二酢酸（ＭＧＤＡ）及び／又はその塩、
ａ２）Ｎ，Ｎ−ビス（カルボキシメチル）−Ｌ−グルタミン酸塩（ＧＬＤＡ）及び／又はその塩、
ａ３）ニトリロ三酢酸（ＮＴＡ）及び／又はその塩、
ａ４）ヒドロキシエチルエチレンジアミン三酢酸（ＨＥＤＴＡ）及び／又はその塩、
ａ５）エチレンジアミン四酢酸（ＥＤＴＡ）及び／又はその塩、
ａ６）ジエチレントリアミン五酢酸（ＤＴＰＡ）及び／又はその塩、及び
ａ７）それらの混合物
から選択されるキレート成分と、
Ｂ）アルカンスルホン酸を含む酸性成分と、
の前記反応生成物；及び
（ＩＩ）界面活性剤成分
を含み、
その際、前記Ｂ）酸性成分と前記Ａ）キレート成分は、約６：１〜約１：６のモル比（Ｂ：Ａ）で反応して反応生成物を形成する、前記洗浄組成物。
【請求項２】
前記Ｂ）酸性成分及び前記Ａ）キレート成分が約４：１〜約１：１のモル比（Ｂ：Ａ）で反応して反応生成物を形成する、請求項１に記載の洗浄組成物。
【請求項３】
前記キレート成分がＭＧＤＡの塩又はＭＧＤＡの部分塩を含む、請求項１又は２に記載の洗浄組成物。
【請求項４】
前記アルカンスルホン酸がメタンスルホン酸（ＭＳＡ）である、請求項１から３までのいずれか１項に記載の洗浄組成物。
【請求項５】
反応生成物が、１００質量部の前記洗浄組成物を基準として約０．１〜約１０質量％の量で存在する、請求項１から４までのいずれか１項に記載の洗浄組成物。
【請求項６】
前記界面活性剤が、
ｉ）非イオン性界面活性剤であり；
ｉｉ）１００質量部の前記洗浄組成物を基準として約１質量％〜約５０質量％の量で存在し；又は
ｉｉｉ）ｉ）とｉｉ）の両方である、請求項１から５までのいずれか１項に記載の洗浄組成物。
【請求項７】
前記非イオン性界面活性剤がｉ）アルコールアルコキシレート、ｉｉ）ブロックコポリマー、又はｉｉｉ）ｉ）とｉｉ）の組み合わせである、請求項６に記載の洗浄組成物。
【請求項８】
ヒドロトロープ成分を更に含む、請求項１から７までのいずれか１項に記載の洗浄組成物。
【請求項９】
前記ヒドロトロープ成分が
ｉ）スルホネートを含み；
ｉｉ）１００質量部の前記洗浄組成物を基準として約０．１質量％〜約１０質量％の量で存在し；又は
ｉｉｉ）ｉ）とｉｉ）の両方である、請求項８に記載の洗浄組成物。
【請求項１０】
食器洗い用の洗浄組成物であって、前記洗浄組成物は、
（Ｉ）反応生成物であって、
Ａ）以下の群：
ｉ）メチルグリシン−Ｎ−Ｎ−二酢酸（ＭＧＤＡ）及び／又はその塩、
ｉｉ）Ｎ，Ｎ−ビス（カルボキシメチル）−Ｌ−グルタミン酸塩（ＧＬＤＡ）及び／又はその塩、及び
ｉｉｉ）それらの組み合わせ
から選択されるキレート成分と、
Ｂ）アルカンスルホン酸を含む酸性成分と、
の前記反応生成物；
（ＩＩ）界面活性剤成分；及び
（ＩＩＩ）ヒドロトロープ成分
を含み、
その際、前記Ｂ）酸性成分と前記Ａ）キレート成分は、約４：１〜約１：１のモル比（Ｂ：Ａ）で反応して反応生成物を形成する、前記洗浄組成物。
【請求項１１】
前記アルカンスルホン酸がメタンスルホン酸（ＭＳＡ）である、請求項１０に記載の洗浄組成物。
【請求項１２】
反応生成物が、１００質量部の前記洗浄組成物を基準として約０．１〜約１０質量％の量で存在する、請求項１０又は１１に記載の洗浄組成物。
【請求項１３】
前記界面活性剤成分がｉ）アルコールアルコキシレート、ｉｉ）ブロックポリマー、又はｉｉｉ）ｉ）とｉｉ）の組み合わせである、請求項１０から１２までのいずれか１項に記載の洗浄組成物。
【請求項１４】
前記界面活性剤成分が、１００質量部の前記洗浄組成物を基準として約１〜約５０質量％の量で存在する、請求項１０から１３までのいずれか１項に記載の洗浄組成物。
【請求項１５】
前記ヒドロトロープ成分が
ｉ）スルホネートであり；
ｉｉ）１００質量部の前記洗浄組成物を基準として約０．１〜約１０質量％の量で存在する；又は
ｉｉｉ）ｉ）とｉｉ）の両方である、請求項１０から１４までのいずれか１項に記載の洗浄組成物。
【請求項１６】
食器洗い用の洗浄組成物であって、前記洗浄組成物は、
（Ｉ）約０．１〜約１０質量％の反応生成物であって、
Ａ）メチルグリシン−Ｎ−Ｎ−二酢酸（ＭＧＤＡ）及び／又はその塩を含むキレート成分と、
Ｂ）メタンスルホン酸（ＭＳＡ）を含む酸性成分と、
の前記反応生成物；
（ＩＩ）非イオン性界面活性剤を含む約１〜約５０質量％の界面活性剤成分；及び
（ＩＩＩ）約０．１〜約１０質量％のヒドロトロープ成分；及び
（ＩＶ）任意に、水
を含み、
その際、前記Ｂ）酸性成分と前記Ａ）キレート成分は、約３：１〜約１：１のモル比（Ｂ：Ａ）で反応して反応生成物を形成する、前記洗浄組成物。
【請求項１７】
前記Ｂ）酸性成分及び前記Ａ）キレート成分が約２：１〜約１：１のモル比（Ｂ：Ａ）で反応して反応生成物を形成する、請求項１６に記載の洗浄組成物。
【請求項１８】
前記界面活性剤成分が、ｉ）アルコールアルコキシレート、ｉｉ）ブロックコポリマー、又はｉｉｉ）ｉ）とｉｉ）の組み合わせである、請求項１６又は１７に記載の洗浄組成物。
【請求項１９】
前記ヒドロトロープ成分がスルホネートである、請求項１６から１８までのいずれか１項に記載の洗浄組成物。
【請求項２０】
前記ＭＳＡが、空気酸化プロセスにより形成される、請求項４、請求項１１又は請求項１６から１９までのいずれか１項に記載の洗浄組成物。
【手続補正書】
【提出日】平成26年12月15日(2014.12.15)
【手続補正１】
【補正対象書類名】特許請求の範囲
【補正対象項目名】全文
【補正方法】変更
【補正の内容】
【特許請求の範囲】
【請求項１】
食器洗い用の洗浄組成物であって、前記洗浄組成物は、
（Ｉ）反応生成物であって、
Ａ）以下の群：
ａ１）メチルグリシン−Ｎ−Ｎ−二酢酸（ＭＧＤＡ）及び／又はその塩、
ａ２）Ｎ，Ｎ−ビス（カルボキシメチル）−Ｌ−グルタミン酸塩（ＧＬＤＡ）及び／又はその塩、
ａ３）ニトリロ三酢酸（ＮＴＡ）及び／又はその塩、
ａ４）ヒドロキシエチルエチレンジアミン三酢酸（ＨＥＤＴＡ）及び／又はその塩、
ａ５）エチレンジアミン四酢酸（ＥＤＴＡ）及び／又はその塩、
ａ６）ジエチレントリアミン五酢酸（ＤＴＰＡ）及び／又はその塩、及び
ａ７）それらの混合物
から選択されるキレート成分と、
Ｂ）アルカンスルホン酸を含む酸性成分と、
の前記反応生成物；及び
（ＩＩ）界面活性剤成分
を含み、
その際、前記Ｂ）酸性成分と前記Ａ）キレート成分は、約６：１〜約１：６のモル比（Ｂ：Ａ）で反応して反応生成物を形成する、前記洗浄組成物。
【請求項２】
前記Ｂ）酸性成分及び前記Ａ）キレート成分が約４：１〜約１：１のモル比（Ｂ：Ａ）で反応して反応生成物を形成する、請求項１に記載の洗浄組成物。
【請求項３】
前記キレート成分がＭＧＤＡの塩又はＭＧＤＡの部分塩を含む、請求項１又は２に記載の洗浄組成物。
【請求項４】
前記アルカンスルホン酸がメタンスルホン酸（ＭＳＡ）である、請求項１から３までのいずれか１項に記載の洗浄組成物。
【請求項５】
反応生成物が、１００質量部の前記洗浄組成物を基準として約０．１〜約１０質量％の量で存在する、請求項１から４までのいずれか１項に記載の洗浄組成物。
【請求項６】
前記界面活性剤が、
ｉ）非イオン性界面活性剤であり；
ｉｉ）１００質量部の前記洗浄組成物を基準として約１質量％〜約５０質量％の量で存在し；又は
ｉｉｉ）ｉ）とｉｉ）の両方である、請求項１から５までのいずれか１項に記載の洗浄組成物。
【請求項７】
前記非イオン性界面活性剤がｉ）アルコールアルコキシレート、ｉｉ）ブロックコポリマー、又はｉｉｉ）ｉ）とｉｉ）の組み合わせである、請求項６に記載の洗浄組成物。
【請求項８】
ヒドロトロープ成分を更に含む、請求項１から７までのいずれか１項に記載の洗浄組成物。
【請求項９】
前記ヒドロトロープ成分が
ｉ）スルホネートを含み；
ｉｉ）１００質量部の前記洗浄組成物を基準として約０．１質量％〜約１０質量％の量で存在し；又は
ｉｉｉ）ｉ）とｉｉ）の両方である、請求項８に記載の洗浄組成物。
【請求項１０】
前記界面活性剤成分が１００質量部の前記洗浄組成物を基準として約１質量％〜約５０質量％の量で存在する、請求項１〜５、請求項８又は請求項９のいずれか１項に記載の洗浄組成物。
【国際調査報告】
2015516486.tif 000003
2015516486.tif 000004
2015516486.tif 000005